(57)【要約】【課題】スギを用いた木製の窓枠部とガラス部との組み合わせであっても十分な防火性能を得ることができる木製窓構造を提供すること。【解決手段】本発明の一態様は、スギを用いた木製の窓枠部と、窓枠部に嵌め込まれたガラス部と、を備えた木製窓構造である。この木製窓構造において、窓枠部は内開きおよび内倒し可能に設けられる。ガラス部は、互いに内外の最表面であって所定の空間を介して配置された第１ガラス板および第２ガラス板と、第１ガラス板の周縁部分と第２ガラス板の周縁部分との間に設けられた封止樹脂と、を有し、第１ガラス板は結晶化ガラスであり、第２ガラス板は非結晶化ガラスであることを特徴とする。【選択図】図１
2020070717.tif 000002
【特許請求の範囲】
【請求項１】
スギを用いた木製の窓枠部と、
前記窓枠部に嵌め込まれたガラス部と、を備える木製窓構造であって、
前記窓枠部は、内開きおよび内倒し可能に設けられ、
前記ガラス部は、
互いに内外の最表面であって所定の空間を介して配置された第１ガラス板および第２ガラス板と、
前記第１ガラス板の周縁部分と前記第２ガラス板の周縁部分との間に設けられた封止樹脂と、を有し、
前記第１ガラス板は、結晶化ガラスであり、
前記第２ガラス板は、非結晶化ガラスである、木製窓構造。
【請求項２】
前記第２ガラス板は、低放射ガラスである、請求項１記載の木製窓構造。
【請求項３】
前記窓枠部の表面にガラス化膜が設けられた、請求項１または請求項２に記載の木製窓構造。
【請求項４】
前記ガラス部は、前記第１ガラス板および前記第２ガラス板による２枚の複層ガラス構造である、請求項１から請求項３のいずれか１項に記載の木製窓構造。
【請求項５】
前記２枚の複層ガラス構造における前記第２ガラス板は低放射ガラスである、請求項１から請求項４のいずれか１項に記載の木製窓構造。
【請求項６】
前記第２ガラス板の表面には、透明誘電体膜、赤外線反射膜および透明誘電体膜を有する積層膜が設けられた、請求項１から請求項５のいずれか１項に記載の木製窓構造。
【請求項７】
前記第１ガラス板および前記第２ガラス板のそれぞれの厚さは３ｍｍから４ｍｍ程度であり、前記空間の幅は１４ｍｍから１６ｍｍ程度である、請求項１から請求項６のいずれか１項に記載の木製窓構造。
【請求項８】
前記封止樹脂は、スペーサと、前記スペーサの内側に設けられた吸湿剤と、前記スペーサと前記第１ガラス板および前記第２ガラス板のそれぞれとの間に接着する接着樹脂と、を備える、請求項１から請求項７のいずれか１項に記載の木製窓構造。
【請求項９】
前記接着樹脂はブチルゴムである、請求項８記載の木製窓構造。
【請求項１０】
前記窓枠部の下側を支える窓台をさらに備え、
前記窓台は、スギを用いた木製または石材の支持板を有し、
前記支持板は、屋内側から屋外側へ延出する出先部分を有し、前記窓枠部の幅よりもわずかに広い幅と、前記窓枠部の奥行きよりも長い奥行きとを有する、請求項１から請求項９のいずれか１項に記載の木製窓構造。
【請求項１１】
前記ガラス部のサイズは、高さ約２３９０ｍｍ、幅約１６９５ｍｍまたは約１２４０ｍｍ、前記第１ガラス板の厚さは４ｍｍ、前記第２ガラス板の厚さは４ｍｍ、前記空間の幅は１６ｍｍ、前記第２ガラス板の材料は低放射ガラス、前記封止樹脂の接着樹脂はブチルゴム、前記窓枠部にはガラス化膜が施された、請求項１記載の木製窓構造。
【請求項１２】
前記窓枠部は、建物の躯体の屋内側から取り付けられた、請求項１から請求項１１のいずれか１項に記載の木製窓構造。
【発明の詳細な説明】
【技術分野】
【０００１】
本発明は、木製窓構造に関し、特に防火性に優れた木製窓構造に関するものである。
【背景技術】
【０００２】
木材を主材料とした木製サッシによる窓構造（木製窓構造）は、アルミニウムなどの金属製サッシを用いた窓構造に比べて暖かみがあり、優れた加工性によって豊かなデザインを実現することができる。その一方、木製サッシは金属製サッシに比べて防火性能を高めることが難しい。
【０００３】
特許文献１では、木材を使用した防火サッシが開示される。この防火サッシは、木材のサッシ枠体と窓框体に、２枚のフロートガラスの間に無機質系フィルムを挟んで接着した合わせガラスの外側ガラスと、厚ガラスの内側ガラスとを一定の間隔をあけて組み合わせた二重ガラスを装着し、外側ガラスと、内側ガラスの２枚のガラスとの隙間にアルゴンガスを充填した構造を適用している。
【０００４】
特許文献２では、耐火剤処理液を含浸した桐材を用い、防火性に優れると共に美観溢れる木肌を維持した桐製の木製サッシが開示される。この木製サッシでは、桐材を乾燥して含水率を９％以下にした後、当該桐材を液温４０〜７０℃の耐火剤溶液中に減圧下３０〜４０ｔｏｒｒで６〜１２時間浸漬し、次に常圧に戻し、その後所定圧力毎に段階的に圧力を付与し最高１０気圧まで加圧した状態で６〜１２時間浸漬して、続いて上記桐材を上記耐火剤液から取り出し、常温で２０〜３０日間乾燥させ、更にまた５０〜８０℃で６〜１２時間乾燥して、含水率を１８％以下にした桐材によって木製サッシの枠体を製作している。
【先行技術文献】
【特許文献】
【０００５】
【特許文献１】特開２００６−１６９８１８号公報
【特許文献２】特開２００７−０６３７４９号公報
【発明の概要】
【発明が解決しようとする課題】
【０００６】
近年、間伐材として多くのスギが伐採されており、その利用法に期待が寄せられている。特に日本では間伐材としてのスギは豊富で安価であり、このようなスギの利用範囲を拡大することによって、林業を中心とした地域産業の活性化が期待される。このような状況のなか、本願発明者は、木製サッシの材料としてスギを利用することに着目し、木製窓構造の開発を行った。
【０００７】
ここで、窓構造の防火性能には、建築基準法に定める認定基準がある。例えば、防火設備では、所定の加熱曲線によって加熱して２０分間非加熱面に火炎を出さないこと、といった遮炎性能が求められる。しかし、スギは樹脂や油脂を多く含むため、他の木材に比べて延焼防止効果が高くない。このため、スギを用いた木製の窓枠部とガラス部とを組み合わせた木製窓構造において、建築基準法の認定基準を満たすような十分な防火性能を得ることは困難である。
【０００８】
本発明は、スギを用いた木製の窓枠部とガラス部との組み合わせであっても十分な防火性能を得ることができる木製窓構造を提供することを目的とする。
【課題を解決するための手段】
【０００９】
上記課題を解決するため、本発明の一態様は、スギを用いた木製の窓枠部と、窓枠部に嵌め込まれたガラス部と、を備えた木製窓構造である。この木製窓構造において、ガラス部は、互いに内外の最表面であって所定の空間を介して配置された第１ガラス板および第２ガラス板と、第１ガラス板の周縁部分と第２ガラス板の周縁部分との間に設けられた封止樹脂と、を有し、第１ガラス板は結晶化ガラスであり、第２ガラス板は非結晶化ガラスであることを特徴とする。
【００１０】
このような構成によれば、木材のなかでも密度および熱伝導率の低いスギを用いることで、窓枠部の低重量化および断熱性向上を図ることができる。また、第１ガラス板および第２ガラス板によってガラス部での結露の抑制および高い断熱効果を得ることができる。
【００１１】
防火性能としては、非結晶化ガラスである第２ガラス板の側が加熱面であった場合、たとえ第２ガラス板が破損しても結晶化ガラスである第１ガラス板によって非加熱面への火炎の出現を防止することができる。一方、結晶化ガラスである第１ガラス板の側が加熱面であった場合、第１ガラス板から第２ガラス板に伝わる熱の分布が均一化され、非加熱面である第２ガラス板の側に火炎が出現するほどの破損を発生させずに済む。
【００１２】
上記の木製窓構造において、第２ガラス板は、低放射ガラスであることが好ましい。これにより、スギを用いた木製窓構造であっても、結露抑制、断熱効果、高い防火性能とともに、熱の通過抑制効果を高めることができる。
【００１３】
上記の木製窓構造において、窓枠部の表面にガラス化膜が設けられていることが好ましい。これにより、スギを用いた木製の窓枠部そのものの耐火性を向上させることができる。
【００１４】
上記の木製窓構造において、屋内側から屋外側へ延出する出先部分を有し、窓枠部の下方に窓枠部を支持する窓台がさらに設けられていてもよい。これにより、窓台を含む木製窓構造において、結露抑制および断熱効果を得ることができる。また、例えばスギの窓台を用いた場合であっても結晶化ガラスによる第１ガラス板と、非結晶化ガラスによる第２ガラス板とのガラス部の組み合わせにより、高い防火性能を得ることができる。
【００１５】
上記の木製窓構造において、窓枠部は、建物の躯体の屋内側から取り付けられるようになっていることが好ましい。ガラス部を備えることで重量物となる窓枠部を躯体に取り付けるにあたり、屋外からの取り付け施工は困難である。建物の屋内側から窓枠部を取り付けることができると、重量物であっても容易に施工することができる。また、メンテナンスや窓の交換工事の際に外部に足場を設ける必要がなく、屋内で工事を完結することができる。
【発明の効果】
【００１６】
本発明によれば、スギを用いた木製の窓枠部であっても十分な防火性能を得ることができる木製窓構造を提供することが可能になる。
【図面の簡単な説明】
【００１７】
【図１】本実施形態に係る木製窓構造を例示する模式斜視図である。
【図２】（ａ）および（ｂ）は、本実施形態に係る木製窓構造を例示する模式図である。
【図３】木製窓構造の具体例を示す模式断面図である。
【図４】ガラス部の模式断面図である。
【図５】窓枠部の取り付けについて説明する模式断面図である。
【発明を実施するための形態】
【００１８】
以下、本発明の実施形態を図面に基づいて説明する。なお、以下の説明では、同一の部材には同一の符号を付し、一度説明した部材については適宜その説明を省略する。
【００１９】
（木製窓構造の基本構成）
図１は、本実施形態に係る木製窓構造を例示する模式斜視図である。
図２（ａ）および（ｂ）は、本実施形態に係る木製窓構造を例示する模式図である。
図２（ａ）には正面図が示され、図２（ｂ）には図２（ａ）のＡ−Ａ線断面図が示される。
なお、説明の都合上、建物の外壁、断熱材、内装材などは図示を省略している。
【００２０】
図１に示すように、本実施形態に係る木製窓構造１は、スギを用いた木製の窓枠部１０と、窓枠部１０に嵌め込まれたガラス部３０と、を備える。また、本実施形態では、窓枠部１０の下方に窓枠部１０を支持する窓台２０が設けられる。
【００２１】
窓枠部１０は、縦枠１１および横枠１２によって矩形状に組まれている。なお、縦枠１１および横枠１２のそれぞれの構成は、窓のタイプ（内開き、外開き、内倒し、引き違い、はめ殺しなど）によって異なる。
【００２２】
本実施形態では、窓枠部１０として木材のスギが用いられる。本実施形態において窓枠部１０に用いられるスギには、無垢材および集成材が含まれる。また、木材の一部（体積で５０％未満）にスギ以外の木材が用いられる場合や、補強や固定等のために金属や樹脂の部材を用いる場合も含まれる。
【００２３】
窓枠部１０は、一対の柱２、まぐさ３および窓台２０によって構成される矩形状の開口に嵌め込まれる。すなわち、窓枠部１０は窓台２０の上に載せられた状態で、縦枠１１が柱２に固定され、上側の横枠１２がまぐさ３に固定される。
【００２４】
窓枠部１０に嵌め込まれるガラス部３０は、第１ガラス板３１、第２ガラス板３２および封止樹脂３５を有する。第１ガラス板３１および第２ガラス板３２は、互いに内外の最表面であって所定の空間を介して配置される。ガラス部３０は、２枚のガラス板（第１ガラス板３１および第２ガラス板３２）による複層ガラス構造である。
【００２５】
封止樹脂３５は、第１ガラス板３１の周縁部分と第２ガラス板３２の周縁部分との間に設けられる。封止樹脂３５は２枚のガラス板の周縁部分を取り囲むように設けられ、２枚のガラス板の間の空間を設定するとともに、空間内の機密性を保つものである。
【００２６】
本実施形態では、このようなガラス部３０において、第１ガラス板３１には結晶化ガラスが用いられ、第２ガラス板３２には非結晶化ガラスが用いられる。ガラス部３０の詳細については後述する。
【００２７】
窓台２０は、窓枠部１０の下側を支える板状の支持板２１を備える。支持板２１は窓枠部１０の幅よりもわずかに広い幅と、窓枠部１０の奥行きよりも長い奥行きとを有する。支持板２１には、玄晶石や御影石などの石材や、杉などの木材を板状物にしたものが用いられる。本実施形態では、支持板２１は一対の柱２に設けられた切り欠き部分に挿入され、柱２の所定の高さに配置されている。支持板２１は屋外側に突出する出先部分２０１を有する。出先部分２０１は、柱２よりも屋外側に出っ張る部分である。これにより、窓台２０は、屋内側から屋外側へ延出するように設けられる。
【００２８】
支持板２１の上面２１ａには、窓の奥行き方向に延在する上面溝部２１０が設けられる。上面溝部２１０は、支持板２１の上面２１ａにおける屋内側の途中から屋外側の端部まで直線的に設けられた溝である。上面２１ａには複数本の上面溝部２１０が互いに平行に設けられていてもよい。本実施形態では、左右にそれぞれ３本（計６本）の上面溝部２１０が設けられる。
【００２９】
複数の上面溝部２１０が設けられている場合、これらの上面溝部２１０を互いに連通させる連通溝部２２０を設けてもよい。連通溝部２２０は、支持板２１の上面２１ａにおける窓の幅方向に延在し、各上面溝部２１０の屋内側の端部を繋げるように設けられる。
【００３０】
本実施形態にかかる木製窓構造１において、窓台２０によって窓枠部１０を支持した状態で、窓枠部１０の縦枠１１における外側面１１ｓの下方延長上および柱２における内側面２ｓの下方延長上の少なくともいずれかに上面溝部２１０が配置されるようになっている。本実施形態では、縦枠１１の外側面１１ｓおよび柱２の内側面２ｓのいずれについてもその下方延長上に上面溝部２１０が配置されている。言い換えると、上面溝部２１０の上に窓枠部１０の縦枠１１の外側面１１ｓが位置し、上面溝部２１０の上に柱２の内側面２ｓが位置するようになっている。
【００３１】
複数本の上面溝部２１０が設けられている場合、同じ（１本）の上面溝部２１０の上に縦枠１１の外側面１１ｓと柱２の内側面２ｓとが位置していてもよいし、異なる上面溝部２１０のそれぞれの上に縦枠１１の外側面１１ｓと柱２の内側面２ｓとが位置していてもよい。また、左右の縦枠１１の外側面１１ｓおよび左右の柱２の内側面２ｓのそれぞれについて上面溝部２１０の上に配置されていてもよい。
【００３２】
このように、上面溝部２１０の上に縦枠１１の外側面１１ｓや柱２の内側面２ｓが位置していることで、窓枠部１０の縦枠１１や柱２の内側面２ｓに沿って水滴等が垂れた場合、その水滴等が下方の窓台２０の上面溝部２１０に入り、上面溝部２１０を伝って出先部分２０１（屋外）の方向へ流れていく。これにより、水滴等が窓台２０の横から壁に伝わることを抑制することができる。
【００３３】
また、複数本の上面溝部２１０が設けられていることで、施工の際に窓台２０と窓枠１０との相対的な位置が多少ずれたり、相対的な位置関係の調整が必要になったりした場合でも、いずれかの上面溝部２１０の上に外側面１１ｓや内側面２ｓを配置することができる。また、複数本の上面溝部２１０が設けられることで、縦枠１１の正面１１ｆの下方延長上や柱２の正面２ｆの下方延長上にも上面溝部２１０が配置されることになる。これにより、縦枠１１の正面１１ｆや柱２の正面２ｆに沿って垂れる水滴等があっても、上面溝部２１０で受けて屋外へ排出できるようになる。
【００３４】
支持板２１の下面２１ｂには、窓の幅方向に延在する下面溝部２３０が設けられていてもよい。下面溝部２３０は支持板２１の幅方向に渡り直線状に設けられた溝である。下面溝部２３０は出先部分２０１に設けられる。これにより、支持板２１の下面２１ｂに沿って流れる水滴等が下面溝部２３０で捕獲される。例えば、上面溝部２１０の屋外側から排出される水滴等が支持板２１の下面２１ｂに回り込んだ場合でも、下面溝部２３０で捕獲されて壁側まで達しない。これにより、水滴等が下面２１ｂに回り込んで壁に伝わることを抑制することができる。
【００３５】
建物において、窓枠部１０や柱２に結露や水滴などの水分が付着すると、水滴等は窓枠部１０の縦枠１１における外側面１１ｓや、柱２の内側面２ｓに沿って下方に垂れていく。この水滴等が窓台２０に達した場合、通常では窓台２０の縁から外壁に沿って垂れることになる。これが外壁に付着して水垢によるシミの原因となる。また、アルミサッシ等は躯体に取り付ける際、露出したアルミ部材より結露が発生して躯体内結露の発生の原因となる。一方、金属に比べて熱伝導率の低い木材は、躯体内結露を抑制し建物の寿命を延ばすことができる。
【００３６】
本実施形態に係る窓台２０を用いることで、窓枠部１０に付着した水滴等は窓台２０の上面溝部２１０に沿って出先部分２０１から屋外へ排出され、窓台２０の縁から壁に沿って垂れることを抑制できる。これにより、水垢によるシミの発生を抑制することができる。上面溝部２１０に入った水滴等を屋外へ効率良く排出するため、上面溝部２１０は屋内側から屋外側に向けて下がるように設けられていることが好ましい。上面溝部２１０をこのように傾斜させるため、上面溝部２１０の底面を傾斜させてもよいし、支持板２１を傾斜させてもよいし、上面２１ａを傾斜させてもよい。
【００３７】
（窓枠部へのスギの適用）
本実施形態では、窓枠部１０の木材としてスギを用いている。ここで、樹種における密度の一例は以下の通りである。
・スギ（約３８０ｋｇ／ｍ３）
・カラマツ（約５００ｋｇ／ｍ３）
・ブナ（約６５０ｋｇ／ｍ３）
・ミズナラ（約６８０ｋｇ／ｍ３）
また、樹種における熱伝導率の一例は以下の通りである。
・スギ（約０．０８７Ｗ／ｍ・Ｋ）
・カラマツ（約０．１１Ｗ／ｍ・Ｋ）
・ブナ（約０．１４Ｗ／ｍ・Ｋ）
・ミズナラ（約０．１４Ｗ／ｍ・Ｋ）
このように、木材のなかでもスギは密度および熱伝導率ともに低く、窓枠部１０に適用することで低重量化および断熱性向上を図ることができる。
その一方、スギは他の木材に比べて樹脂や油脂を多く含むため、延焼防止効果の点で有利とは言えない。
【００３８】
建材で用いられるようなある程度の太さを備えた木材が燃えた場合、表面に炭化層が形成されるだけで芯部分は残る状態となる。本願発明者は、このように完全に燃え切らない木材であっても、炎症防止効果の高くないスギを窓枠部１０に用いて木製窓構造１を構成する場合、ガラス部３０の構造や封止樹脂３５との関係から、防火性能に差が生じることについて知見を得た。
そして、本願発明者は、スギを窓枠部１０の材料として用いる場合の低重量化および断熱性向上というメリットを得つつ、特定のガラス部３０との組み合わせによれば木製窓構造１の全体で効果的に防火性能を高めることができる点を見出した。
【００３９】
（ガラス部の詳細）
本実施形態に係る木製窓構造１で用いられるガラス部３０は、第１ガラス板３１と第２ガラス板３２とが所定の空間を介して互いに平行配置された複層ガラス構造を備える。本実施形態では、第１ガラス板３１および第２ガラス板３２による２枚の複層ガラス構造となっている。第１ガラス板３１および第２ガラス板３２のどちらが屋内側または屋外側であってもよい。図示する例では、第１ガラス板３１が屋外側、第２ガラス板３２が屋内側に配置される。
【００４０】
第１ガラス板３１として用いられる結晶化ガラスは、ガラスを再加熱して結晶を析出させたものである。結晶化ガラスは透光性を有し、熱膨張係数がほぼゼロという性質を有する。結晶化ガラスは、例えば８００℃に加熱した状態で水をかけて急冷しても割れない。これにより、例えば火災発生時の高温に耐えつつ、放水で急冷しても割れることがなく、例えば消化放水時に起こりやすいガラスの割れによる火災拡大（バックドラフトなど）を抑制することができる。
【００４１】
第２ガラス板３２として用いられる非結晶化ガラスは、結晶化されていないガラスである。非結晶化ガラスとしては、例えば、一般的な窓に使用されるフロート板ガラス（ソーダ石灰ガラスなど）、一般的な耐熱ガラス（ホウケイ酸ガラスなど）が挙げられる。
【００４２】
なお、第２ガラス板３２としては、板ガラスの表面に低放射（Low-Emissivity）膜を形成した低放射ガラス（Ｌｏｗ−Ｅガラス）を用いることが好ましい。低放射膜としては、例えば、透明誘電体膜、赤外線反射膜および透明誘電体膜をこの順で有する積層膜が挙げられる。透明誘電体膜としては、例えば、酸化亜鉛、酸化スズ等の金属酸化物の膜が挙げられる。赤外線反射膜としては、例えば、Ａｇ等の金属膜、Ｆ添加ＳｉＯ２等の半導体膜が挙げられる。
【００４３】
第１ガラス板３１および第２ガラス板３２による複層ガラスによってガラス部３０での結露の抑制および高い断熱効果を得ることができる。さらに、複層ガラスのうちの第２ガラス板３２として低放射ガラス（Ｌｏｗ−Ｅガラス）を用いることで、スギを用いた木製の窓枠部１０を備えた窓構造であっても、結露抑制、断熱効果とともに、熱の通過抑制効果を高めることができる。
【００４４】
（木製窓構造の具体例）
図３は、木製窓構造の具体例を示す模式断面図である。
図３では、図２（ｂ）のＢ−Ｂ線断面図が示される。なお、図３に示す木製窓構造１は、内開き窓の例である。
図３に示す木製窓構造１においては、スギを用いた窓枠部１０として、固定枠１０１と可動枠１０２とを備えている。可動枠１０２は、固定枠１０１に蝶番（図示せず）を介して取り付けられており、固定枠１０１に対して開閉可能になっている。固定枠１０１は窓台２０の上に載置された状態で柱２やまぐさ３にスクリューネジなどで固定される。
【００４５】
内開き窓では可動枠１０２の内側にガラス部３０が嵌め込まれる。ガラス部３０の一方面の周縁部分が可動枠１０２の延出部分１０２ａに当接し、他方面の周縁部分が押さえ枠１０２ｂによって押さえられる。これにより、ガラス部３０は延出部分１０２ａと押さえ枠１０２ｂとの間で挟み込まれる。
【００４６】
（ガラス部の具体例）
図４は、ガラス部の模式断面図である。
ガラス部３０は、結晶化ガラスによる第１ガラス板３１と、非結晶化ガラスによる第２ガラス板３２と、封止樹脂３５とを有する。非結晶化ガラスが低放射ガラス（Ｌｏｗ−Ｅガラス）の場合、第２ガラス板３２の表面に低放射膜３２ｆが設けられる。
【００４７】
封止樹脂３５は、第１ガラス板３１の周縁部分と第２ガラス板３２の周縁部分との間に設けられる。封止樹脂３５は、両ガラス板の間に所定間隔の空間Ｓを設けるためのスペーサ３５１と、スペーサ３５１と両ガラス板との間を接着する接着樹脂３５２とを備える。スペーサ３５１の内側には吸湿剤３５３が設けられている。
【００４８】
第１ガラス板３１および第２ガラス板３２のそれぞれの厚さは３ｍｍから４ｍｍ程度である。また、空間Ｓの幅は１４ｍｍから１６ｍｍ程度である。封止樹脂３５の接着樹脂３５２としては、ブチルゴムが用いられる。
【００４９】
（防火性能）
本実施形態に係る木製窓構造１の窓枠部１０には木材のスギが用いられる。この木製窓構造１における防火性能は、建築基準法の防火設備の基準を満たす。
先に説明したように、一般的に木材のなかでもスギは樹脂や油脂を多く含むため、他の木材に比べて延焼防止効果が高くない。したがって、窓枠部１０にスギを用いて防火設備の基準を満たすようにすることは非常に困難である。
【００５０】
本願発明者は、窓枠部１０にスギを用いた場合の防火対策について様々な開発および検証を行った結果、本実施形態に係る木製窓構造１において防火設備の基準を満たす性能を発揮できることを見出した。
【００５１】
ガラス部３０の構成としては、結露抑制および断熱効果を得るために複層ガラスを用いること、および網入りガラスを用いないことを前提とした。ここで、網無しガラスは防火性として不利である。一般的に、網無しで２枚のガラス板を合わせた複層ガラスにおいて耐熱性を高めるためには、２枚のガラス板を耐熱ガラス（ホウケイ酸ガラス）で構成することが考えられる。この２枚の耐熱ガラスを適用した複層ガラスをスギの窓枠部１０に取り付けて、建築基準法における防火性能を評価するための燃焼試験（以下、単に「燃焼試験」と言う。）を行った。
【００５２】
燃焼試験の結果、防火設備の要件（２０分間の遮炎性能）は満たさなかった。
これは、スギと接するガラス（耐熱ガラス）との熱伝導率の差が大きいため、加熱側のガラス面においてスギと接する縁部分と、スギと接しない中央部分とで大きな熱分布が発生し、２０分経過前に加熱側のガラスに割れが発生したと考えられる。
【００５３】
次に、ガラス部３０として、３枚のガラス板を合わせた複層ガラスについて検証した。３枚のガラス板のうち、中央に結晶化ガラス、両側に低放射ガラス（Ｌｏｗ−Ｅガラス）を用いた。この複層ガラスをスギの窓枠部１０に取り付けて、燃焼試験を行った。
【００５４】
現時点において、３枚のガラス板でガラス部３０を構成する木製窓構造では、燃焼試験における防火設備の要件を満たさなかった。
一般に、中央に結晶化ガラス、両側に低放射ガラス（Ｌｏｗ−Ｅガラス）を用いた３枚の複層ガラスを用いると、十分な防火性能を発揮できると考えられる。しかし、２枚の耐熱ガラスの場合と同様に、スギと接するガラス（低放射ガラス）との熱伝導率の差が大きいため、加熱側のガラス面においてスギと接する縁部分と、スギと接しない中央部分とで大きな熱分布が発生し、２０分経過前に加熱側のガラスに割れが発生したと考えられる。
【００５５】
さらに、３枚の複層ガラスの場合、加熱側のガラス面の熱分布が中央の結晶化ガラスを介して非加熱面側のガラス（低放射ガラス）に伝わり、非加熱面側のガラスや、非加熱面側のガラスと中央の結晶化ガラスとの間に設けられた封止樹脂に影響を与える。
【００５６】
ここで、中央に結晶化ガラスが用いられていれば熱による割れが発生せず、たとえ加熱面側のガラスが割れても、非加熱面への火炎の出現を免れると考えられる。しかし、加熱側のガラスが割れて、部分的な破壊や割れによるずれ落ちが発生すると、中央の結晶化ガラスが不均一に加熱されることになる。すなわち、加熱面側のガラスの一部が崩落し、一部で崩落を免れたような状態では、中央の結晶化ガラスが受ける熱に大きな分布が生じる。この熱の分布が非加熱面側のガラスに伝わり、非加熱面側のガラスも割れて、部分的な破壊や割れによるずれ落ちが発生する。これにより、封止樹脂３５の材料（例えばブチル）の昇華によって発生したガス（例えばイソプレンやイソブチレン）に引火して、非加熱面への火炎の出現に至る。
【００５７】
本願発明者は、実際の燃焼試験に基づき、窓枠部１０にスギを用い、複層ガラスの封止材料として封止樹脂３５を用いた場合の火炎出現のメカニズムから、本実施形態に係る木製窓構造１に至った。
【００５８】
すなわち、本実施形態に係る木製窓構造１では、スギによる窓枠部１０を用いた防火対応のため、少なくとも次の２点をポイントとしている。
（１）ガラス部３０を、２枚の複層ガラスとして、第１ガラス板３１を結晶化ガラス、第２ガラス板３２を非結晶化ガラス（例えば、低放射ガラス）とする。
（２）第１ガラス板３１と第２ガラス板３２との間を封止樹脂３５で封止する。
このガラス部３０をスギによる窓枠部１０に嵌め込んで、燃焼試験を行った。
【００５９】
燃焼試験の結果、防火設備の要件（２０分間の遮炎性能）を満たした。
燃焼試験において、非結晶化ガラス（低放射ガラス）である第２ガラス板３２の側を加熱面とした場合、第２ガラス板３２は熱によって破損することになるが、結晶化ガラスである第１ガラス板３１は破損しないため、非加熱面への火炎の出現を防止することができる。
【００６０】
一方、燃焼試験において、結晶化ガラスである第１ガラス板３１の側を加熱面とした場合、スギと接するガラス（結晶化ガラス）との熱伝導率の差が大きくても結晶化ガラスは熱膨張係数がほぼゼロのため歪による割れは発生しない。このため、第１ガラス板３１は板形状まま維持され、第１ガラス板３１から第２ガラス板３２に伝わる熱の分布が均一化される。
【００６１】
ここで、第１ガラス板３１の熱が第２ガラス板３２に伝わり、第２ガラス板３２に熱によるひび割れが生じても、第２ガラス板３２に伝わる熱の分布が均一化されているため崩落するような割れや、割れ箇所がずれ落ちるような破損には至らない。したがって、たとえ封止樹脂３５の加熱昇華によるガスに引火が発生しても、非加熱面である第２ガラス板３２の側への火炎の出現には至らない。
【００６２】
つまり、本実施形態に係る木製窓構造１では、第１ガラス板３１および第２ガラス板３２のどちらが加熱面になったとしても、防火設備の要件（２０分間の遮炎性能）を満たすことができる。
【００６３】
ここで、木製窓構造１の防火特性をさらに高めるため、スギを用いた窓枠部１０の表面（スギの表面）にガラス化膜を設けることが好ましい。ガラス化膜は、例えばガラス塗料を窓枠部１０の表面に塗布することで形成される。ガラス塗料は、常温でガラス化する塗料である。ガラス化膜を形成することで、スギを用いた木製の窓枠部１０であっても耐火性および耐候性を向上させることができる。
【００６４】
本実施形態に係る木製窓構造１の仕様の一例は以下の通りである。なお、以下に示す仕様の木製窓構造１は、いずれも防火設備の要件（２０分間の遮炎性能）を満たしている。
【００６５】
（仕様１）
構造名：複層ガラス入り（網無し）、木製内開き・内倒し窓（片側常閉）
ガラス部３０のサイズ…高さ約２３９０ｍｍ、幅約１６９５ｍｍ
第１ガラス板３１の材料／厚さ…結晶化ガラス／４ｍｍ厚
第２ガラス板３２の材料／厚さ…低放射ガラス（Ｌｏｗ−Ｅガラス）／４ｍｍ厚
空間Ｓの幅…１６ｍｍ
封止樹脂３５の接着樹脂３５２…ブチルゴム
窓枠部１０のガラス化膜…あり
窓台２０の材料…スギ
【００６６】
（仕様２）
構造名：複層ガラス入り（網無し）、木製内開き・内倒し窓
ガラス部３０のサイズ…高さ約２３９０ｍｍ、幅約１２４０ｍｍ
第１ガラス板３１の材料／厚さ…結晶化ガラス／４ｍｍ厚
第２ガラス板３２の材料／厚さ…低放射ガラス（Ｌｏｗ−Ｅガラス）／４ｍｍ厚
空間Ｓの幅…１６ｍｍ
封止樹脂３５の接着樹脂３５２…ブチルゴム
窓枠部１０のガラス化膜…あり
窓台２０の材料…スギ
【００６７】
（仕様３）
構造名：複層ガラス入り（網無し）、木製ＦＩＸ窓
ガラス部３０のサイズ…高さ約２３９０ｍｍ、幅約１２４０ｍｍ
第１ガラス板３１の材料／厚さ…結晶化ガラス／４ｍｍ厚
第２ガラス板３２の材料／厚さ…低放射ガラス（Ｌｏｗ−Ｅガラス）／４ｍｍ厚
空間Ｓの幅…１６ｍｍ
封止樹脂３５の接着樹脂３５２…ブチルゴム
窓枠部１０のガラス化膜…あり
窓台２０の材料…スギ
【００６８】
木製窓構造１としてスギの窓台２０によって木製の窓枠部１０を支持する場合、窓枠部１０の窓台２０と接する部分と、木製の柱２やまぐさ３と接する部分とで熱特性に差が生じやすい。このようなスギの窓台２０を備えた木製窓構造１では、スギの窓台２０を備えていない構造に比べ、燃焼試験におけるガラス面での熱分布（窓台２０に近位な部分と遠位な部分との温度分布の差）が大きくなりやすい。
【００６９】
このため、スギの窓台２０を用いることで、燃焼試験において防火設備の要件を満たさなかった２つの例（２枚の複層ガラス（耐熱ガラス／耐熱ガラス）の場合と、３枚の複層ガラス（低放射ガラス／結晶化ガラス／低放射ガラス）の場合）では、熱分布の不均一による不具合が顕著に現れると考えられる。
【００７０】
一方、本実施形態のようなガラス部３０の構成（２枚の複層ガラス（結晶化ガラス／非結晶化ガラス））を採用することで、スギの窓台２０を備えた木製窓構造１であっても、非加熱面への火炎の出現を抑制することができる。また、窓台２０によって窓枠部１０を支持する構成では、窓台２０と窓枠部１０との間に隙間が生じやすい。このため、この隙間において熱分布が発生しやすく、延焼を招きやすい。つまり、窓台２０を備えた窓構造は、防火性能として不利であると考えられる。しかし、本実施形態では、窓台２０によって窓枠部１０を支持する構成であっても、上記のように防火設備の要件を満たしている。
【００７１】
（窓枠部の取り付け）
次に、窓枠部１０の取り付けについて説明する。
図５は、窓枠部の取り付けについて説明する模式断面図である。
窓枠部１０は、一対の柱２、まぐさ３および窓台２０によって構成される矩形状の開口に嵌め込まれる。本実施形態に係る木製窓構造１の窓枠部１０は、建物の屋内側から躯体（柱２およびまぐさ３）に取り付けられるようになっている。すなわち、ガラス部３０が嵌め込まれた窓枠部１０を躯体に取り付けるには、屋内側から窓枠部１０を窓台２０の上に載せ、上側の固定枠１０１を突き当て用の柱に当たるまで押し込む。この状態で固定枠１０１を柱２やまぐさ３にスクリューネジなどで固定する。
【００７２】
複層ガラスであるガラス部３０を嵌め込んだ窓枠部１０は重量物となる。このような窓枠部を躯体に取り付けるにあたり、屋外からの取り付け施工は困難である。建物の屋内側から窓枠部１０を取り付けることができることで、重量物であっても容易に施工することができる。屋内側から取り付けられるため、建物の高層階であっても足場を使うことなく取り付け作業を行うことが可能となる。また、メンテナンスや窓の交換工事の際にも外部に足場を設ける必要がなく、屋内で工事を完結することができる。また、屋内側からの取り付け作業で済むため、外壁を壊すことなく窓の交換を行うことができる。さらに、日常の清掃も容易に行うことができる。
【００７３】
以上説明したように、本実施形態によれば、スギを用いた木製の窓枠部とガラス部との組み合わせであっても、十分な防火性能を得ることができる木製窓構造を提供することが可能となる。
【００７４】
なお、上記に本実施形態およびその適用例を説明したが、本発明はこれらの例に限定されるものではない。例えば、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００７５】
１…木製窓構造
２…柱
２ｆ…正面
２ｓ…内側面
３…まぐさ
１０…窓枠部
１１…縦枠
１１ｆ…正面
１１ｓ…外側面
１２…横枠
２０…窓台
２１…支持板
２１ａ…上面
２１ｂ…下面
３０…ガラス部
３１…第１ガラス板
３２…第２ガラス板
３２ｆ…低放射膜
３５…封止樹脂
１０１…固定枠
１０２…可動枠
１０２ａ…延出部分
１０２ｂ…押さえ枠
２０１…出先部分
２１０…上面溝部
２２０…連通溝部
２３０…下面溝部
３５１…スペーサ
３５２…接着樹脂
３５３…吸湿剤
Ｓ…空間
【図１】
2020070717.tif 000003
【図２】
2020070717.tif 000004
【図３】
2020070717.tif 000005
【図４】
2020070717.tif 000006
【図５】
2020070717.tif 000007